【手続補正書】
【提出日】平成15年11月4日(2003.11.4)
【手続補正１】
【補正対象書類名】明細書
【補正対象項目名】特許請求の範囲
【補正方法】変更
【補正の内容】
【特許請求の範囲】
【請求項１】
複数の無線ゾーンを各々担当する複数の無線基地局と、それらの無線基地局を統合して制御し、通信信号を中継・交換する交換局と、各ゾーンに在圏して無線基地局と通信する移動局からなり、
該移動局は、複数の無線ゾーンが重複する領城に存在する場合に、複数の無線基地局と同時に、同一内容の情報を搭載した信号を送受信するサイトダイバシチを行える機能を備え、
該無線基地局と該交換局は、通話信号または各種の制御信号を非同期転送モード（ＡＴＭ）を使用して伝送し、
該無線基地局は、伝送されて来た移動局向けの信号を、移動局毎に単一または複数の種類の通話信号または制御信号を同一の時間の１つのフレーム内に時間軸上でマッピングし、フレームを単位として無線信号として送信する移動通信システムにおいて、
該無線基地局は、該交換局からＡＴＭ伝送で到着する移動局向け信号を監視して、該移動局向け信号に欠落があった場合にはそれを検出するセル廃棄検出手段と、
該セル廃棄検出手段によりセル廃棄が行われたと判断された場合には、該当する送信位置の無線信号の送信をその部分だけ停止する送信停止手段と
を備えた移動通信システム。
【請求項２】
前記交換局は、
各移動局が、複数基地局と同時通信中であるサイトダイバシチ中であるか、単一の無線基地局とのみ通信中である非サイトダイバシチ中かを各無線基地局に通知するダイバシチ状態信号を生成するサイトダイバシチ状態信号生成手段と、
それを伝送路を使用して伝送するサイトダイバシチ状態伝送手段と
を有し、
無線基地局の送信停止手段は、該交換局から受け取ったサイトダイバシチ状態信号に基づいて送信の停止動作を禁止するように構成し、
サイトダイバシチを行っていない移動局に向けた無線信号の送信動作においては、伝送路でのセル廃棄の有無にかかわらず無線信号の送信を行うようにした請求項１記載の移動通信システム。
【請求項３】
前記交換局は、
該当する移動局が、音声通信を行っている場合に、送信元の音声符号化部で有音／無音検出を行う無音検出手段と、
無音時には信号の送信を停止する制御を行うボイスコントロール制御手段と、該ボイスコントロール制御を行うための有音／無音情報を生成する無音信号生成手段と、
該有音／無音情報を伝送路を使って無線基地局に伝送する交換局側無音信号伝送手段と
を有し、
前記無線基地局は、
該有音／無音情報を伝送路上を通して受け取る基地局側無音信号伝送手段と、
該有音／無音情報が無音を示している場合には、セル廃棄検出手段の検出結果を無効にして無線信号の停止処理を禁止して継続して送信を行うようにする強制送信手段と
を有した請求項１または２記載の移動通信システム。
【請求項４】
前記交換局は、通話チャネル信号と付随制御チャネル信号を各々独立に伝送路で伝送するための交換局側通話チャネル用伝送手段および交換機側付随制御チャネル用伝送手段を有し、
該無線基地局は、通話チャネル信号と付随制御チャネル信号を各々独立に伝送路で伝送するための基地局側通話チャネル用伝送手段および基地局側付随制御チャネル用伝送手段と、
付随制御チャネル信号を、通話チャネル信号に無線信号上で付随させるために、１つの無線フレーム内に通話チャネル信号と時間多重して送信する多重化手段と、
伝送路を通して交換局から送られてくる通話チャネル信号を監視して、伝送路上の通話チャネル信号に欠落があった場合にはそれを検出する通話チャネルセル廃棄検出手段と、
伝送路を通して交換局から送られてくる付随制御チャネル信号を監視して、伝送路上の付随制御チャネル信号に欠落があった場合にはそれを検出する付随制御チャネルセル廃棄検出手段と
を有し、該送信停止手段は、通話チャネルセル廃棄検出手段と付随制御チャネルセル廃棄検出手段のいずれか一方がセル廃棄を検出した場合には、該当するフレームの送信を停止するように構成した請求項１〜３のいずれかに記載の移動通信システム。
【請求項５】
前記交換局は、
各移動局に対する付随制御チャネル信号メッセージが存在しない場合には、付随制御チャネルの伝送路への送出を停止する付随制御チャネル停止手段と、
付随制御チャネル信号を伝送路に送出する時に、１単位のメッセージ信号をそれより短い適当な長さのユニットに分割し、その際、無線基地局または移動局においてメッセージを再構築するために、メッセージ内の位置に基づく先頭ユニツト情報および最終ユニット情報を、分割したユニットに付加して、伝送路に送出する付随制御チャネル分割手段と
を有し、
前記無線基地局は、
交換局から伝送路を通して送られてくる付随制御チャネル信号のメッセージの先頭を検出する先頭ユニット検出手段と、
交換局から伝送路を通して送られてくる付随制御チャネル信号のメッセージの終わりを検出する最終ユニット検出手段と、
付随制御チャネル信号の先頭ユニットを検出した場合には、前記セル廃棄検出手段の検出結果を有効にしてセル廃棄を検出したときには無線信号の送信を指定するようにし、付随制御チャネル信号の最終ユニットを検出した場合には、前記セル廃棄検出手段の検出結果を無効にしてセル廃棄の検出の有無にかかわらず無線信号の送信を継続して行うようにするセル廃棄検出無効化手段と
を有する請求項１〜４のいずれかに記載の移動通信システム。
【請求項６】
前記交換局は、付随制御チャネル信号を伝送路に送出する時に、１単位のメッセージ信号をそれより短い適当な長さのユニットに分割し、その際、無線基地局または移動局においてメッセージを再構築するために、メッセージ内の位置に基づく残ユニット数情報を、分割したユニットに付加して伝送路に送出する付随制御チャネル分割手段を有し、
前記無線基地局は、
該交換局から伝送路を通して送られてくる付随制御チャネル信号の残ユニット数情報を検出する残数検出手段と、
前記残数検出手段で残ユニツト数が検出される度に、カウント残数を設定し、かつ、セル廃棄検出用タイミング生成手段が生成するタイミングを基準として一定時間毎にカンウト残数を減算することでメッセージ終了までの残りユニット数を数える残数カウント手段と、
該残数カウント手段のユニット残数がゼロでは無い期間のみ、前記セル廃棄検出手段の検出結果を有効として、上記期間にセル廃棄を検出した場合には、無線信号の停止処理を行って送信を停止するようにするセル廃棄検出無効化手段と
を有する請求項１〜４のいずれかに記載の移動通信システム。
【請求項７】
複数の無線ゾーンを各々担当する複数の無線基地局と、それらの無線基地局を統合して制御し、通信信号を中継・交換する交換局と、各ゾーンに在圏して無線基地局と通信する移動局からなり、
該移動局は、複数の無線ゾーンが重複する領域に存在する場合に、複数の無線基地局と同時に、同一内容の情報を搭載した信号を送受信するサイトダイバシチを行える機能を備え、
該無線基地局と該交換局は、通信信号または各種の制御信号を非同期転送モード（ＡＴＭ）を使用して伝送し、
該無線基地局は、伝送されて来た移動局向けの信号を、移動局毎に単一または複数の種類の通話信号または制御信号を同一の時間の１つのフレーム内に時間軸上でマッピングし、フレームを単位として無線信号として送信する移動通信システムにおける無線基地局において、
該交換局からＡＴＭ伝送で到着する移動局向けの信号を監視して、該移動局向けのセルに欠落があった場合にはそれを検出するセル廃棄検出手段と、
該セル廃棄検出手段によりセル廃棄が行われたと判断された場合には、該当する送信位置の無線信号の送信をその部分だけ停止する送信停止手段と
を備えた移動通信システムにおける無線基地局。
【請求項８】
複数の無線ゾーンを各々担当する複数の無線基地局と、それらの無線基地局を統合して制御し、通信信号を中継・交換する交換局と、各ゾーンに在圏して無線基地局と通信する移動局からなり、
該移動局は、複数の無線ゾーンが重複する領域に存在する場合に、複数の無線基地局と同時に、同一内容の情報を搭載した信号を送受信するサイトダイバシチを行える機能を備え、
該無線基地局と該交換局は、通信信号または各種の制御信号を非同期転送モード（ＡＴＭ）を使用して伝送し、
該無線基地局は、伝送されて来た移動局向けの信号を、移動局毎に単一または複数の種類の通話信号または制御信号を同一の時間の１つのフレーム内に時間軸上でマッピングし、フレームを単位として無線信号として送信する移動通信システムにおける移動交換局において、
各移動局が、複数の無線基地局と同時通信中であるサイトダイバシチ中であるか、単一の無線基地局とのみ通信中である非サイトダイバシチ中かを各無線基地局に通知するダイバシチ状態信号を生成するサイトダイバシチ状態伝送手段と
を有し、
無線基地局の送信停止手段は、該交換局から受け取ったサイトダイバシチ状態信号に基づいて送信の停止動作を禁止するように構成し、
サイトダイバシチを行っていない移動局に向けた無線信号の送信動作においては、伝送路でのセル廃棄の有無にかかわらず無線信号の送信を行うようにしたことを特徴とする移動通信システムにおける移動交換局。
【請求項９】
非同期転送モードを使用して伝送されてきた、一つの移動局に送信すべき通信信号または各種の制御信号を受信する複数の無線基地局が、同時に同一内容の情報を搭載した無線信号を前記一つの移動局に送信するサイトダイバシチを行う移動通信システムの、前記無線基地局において、
前記非同期転送モードを使用して伝送されてきたセルを監視して、セルに欠落があったかどうかを検出するセル廃棄検出手段と、
該セル廃棄検出手段によりセル廃棄が行われたと判断された場合には、該当する送信位置の無線信号の送信を停止する送信停止手段と、
を備えた無線基地局。
【請求項１０】
非同期転送モードを使用して伝送されてきた、一つの移動局に送信すべき通信信号または各種の制御信号を受信し、受信した信号を無線信号として前記一つの移動局に送信する無線基地局の送信制御方法において、
前記非同期転送モードを使用して伝送されてきたセルを監視し、
セルに欠落があったかどうかを検出し、
セルに欠落があったことを検出した場合には、該当する送信位置の無線信号の送信を停止する、
ことを特徴とする無線基地局の送信制御方法。